(57)【要約】【課題】この発明は、標準映像フォーマットを高画質映像フォーマットに変換した擬似的な映像信号に対しても、クロスカラー妨害・ドット妨害を除去して高画質な映像表示を可能とした放送受信装置及び放送受信方法を提供することを目的としている。【解決手段】ＳＤＴＶ映像フォーマットのコンポジット形式映像信号をアップコンバートしてサイドパネル画像を付加した擬似ＨＤＴＶ映像信号を受信した場合、その受信した擬似ＨＤＴＶ映像信号をダウンコンバータ（１８）でＳＤＴＶ映像フォーマットに変換し、映像処理部（２４）で３次元ＹＣ分離処理を施して性能良くクロスカラー妨害・ドット妨害を低減して画質改善を行なった後、アップコンバータ（２５）でＨＤＴＶ映像フォーマットに変換して映像表示させる。【選択図】    図１
2005328150.tif 000002
【特許請求の範囲】
【請求項１】
標準映像フォーマットの第１の映像信号、高画質映像フォーマットの第２の映像信号、標準映像フォーマットのコンポジット形式映像信号を高画質映像フォーマットに変換しサイドパネルを付加してなる第３の映像信号とが混在されたデジタル放送を受信する受信手段と、
前記受信手段で受信したデジタル放送信号から所定のチャンネルの信号を抽出してデコード処理を施す信号処理手段と、
前記信号処理手段から出力される映像信号が前記第１乃至第３の映像信号のいずれであるかを判別する判別手段と、
前記判別手段により前記信号処理手段から出力された映像信号が前記第２の映像信号であると判別された場合に選択されるもので、前記信号処理手段から出力された第２の映像信号を映像表示装置に導く第１の処理手段と、
前記判別手段により前記信号処理手段から出力された映像信号が前記第１の映像信号であると判別された場合に選択されるもので、前記信号処理手段から出力された第１の映像信号をコンポジット形式映像信号に変換して３次元映像処理を施してから前記映像表示装置に導く第２の処理手段と、
前記判別手段により前記信号処理手段から出力された映像信号が前記第３の映像信号であると判別された場合に選択されるもので、前記信号処理手段から出力された第３の映像信号を標準映像フォーマットのコンポジット形式映像信号に変換して３次元映像処理を施してから前記映像表示装置に導く第３の処理手段とを具備したことを特徴とする放送受信装置。
【請求項２】
前記判別手段は、前記デジタル放送信号に含まれて送信される、映像フォーマットを示す第１の情報とサイドパネルの有無を示す第２の情報とに基づいて、前記信号処理手段から出力される映像信号が前記第１乃至第３の映像信号のいずれであるかを判別することを特徴とする請求項１記載の放送受信装置。
【請求項３】
前記判別手段は、前記信号処理手段から出力される映像信号からサイドパネルの有無を判別するサイドパネル判別手段を備え、
前記サイドパネル判別手段の判別結果と、前記デジタル放送信号に含まれて送信される映像フォーマットを示す情報とに基づいて、前記信号処理手段から出力される映像信号が前記第１乃至第３の映像信号のいずれであるかを判別することを特徴とする請求項１記載の放送受信装置。
【請求項４】
前記第３の処理手段は、
前記信号処理手段から出力された第３の映像信号を標準映像フォーマットに変換するダウンコンバータと、
前記ダウンコンバータの出力をコンポジット形式映像信号に変換して３次元ＹＣ分離処理を施す映像処理手段とを具備したことを特徴とする請求項１記載の放送受信装置。
【請求項５】
前記第３の処理手段は、
前記信号処理手段から出力された第３の映像信号を標準映像フォーマットに変換するダウンコンバータと、
前記ダウンコンバータの出力をコンポジット形式映像信号に変換して３次元ＹＣ分離処理を施す映像処理手段と、
前記映像処理手段の出力を高画質映像フォーマットに変換するアップコンバータとを具備したことを特徴とする請求項１記載の放送受信装置。
【請求項６】
前記第３の処理手段は、
前記信号処理手段から出力された第３の映像信号から主画面映像部分を切出す映像切出し手段と、
前記映像切出し手段で切出された主画面映像部分を標準映像フォーマットに変換するダウンコンバータと、
前記ダウンコンバータの出力をコンポジット形式映像信号に変換して３次元ＹＣ分離処理を施す映像処理手段と、
前記映像処理手段の出力を高画質映像フォーマットに変換するアップコンバータと、
前記アップコンバータの出力にサイドパネルを付加するサイドパネル付加手段とを具備したことを特徴とする請求項１記載の放送受信装置。
【請求項７】
前記映像切出し手段は、主画面映像部分の切出しを行なった際に分離したサイドパネルの情報を記憶し、
前記サイドパネル付加手段は、前記映像切出し手段に記憶された情報に基づいてサイドパネルを付加することを特徴とする請求項６記載の放送受信装置。
【請求項８】
標準映像フォーマットの第１の映像信号、高画質映像フォーマットの第２の映像信号、標準映像フォーマットのコンポジット形式映像信号を高画質映像フォーマットに変換しサイドパネルを付加してなる第３の映像信号とが混在されたデジタル放送を受信する第１の工程と、
受信したデジタル放送信号から所定のチャンネルの信号を抽出してデコード処理を施す第２の工程と、
デコード処理された映像信号が前記第１乃至第３の映像信号のいずれであるかを判別する第３の工程と、
デコード処理された映像信号が前記第２の映像信号であると判別された場合、その第２の映像信号を映像表示装置に導く第４の工程と、
デコード処理された映像信号が前記第１の映像信号であると判別された場合、その第１の映像信号をコンポジット形式映像信号に変換して３次元映像処理を施してから前記映像表示装置に導く第５の工程と、
デコード処理された映像信号が前記第３の映像信号であると判別された場合、その第３の映像信号を標準映像フォーマットのコンポジット形式映像信号に変換して３次元映像処理を施してから前記映像表示装置に導く第６の工程とを具備したことを特徴とする放送受信方法。
【請求項９】
前記第３の工程は、前記デジタル放送信号に含まれて送信される、映像フォーマットを示す第１の情報とサイドパネルの有無を示す第２の情報とに基づいて判別することを特徴とする請求項８記載の放送受信方法。
【請求項１０】
前記第３の工程は、前記デコード処理された映像信号からサイドパネルの有無を判別する工程を備え、
前記サイドパネルの有無の判別結果と、前記デジタル放送信号に含まれて送信される映像フォーマットを示す情報とに基づいて判別することを特徴とする請求項８記載の放送受信方法。
【請求項１１】
前記第６の工程は、
前記デコード処理された第３の映像信号を標準映像フォーマットに変換する工程と、
前記標準映像フォーマットに変換された映像信号をコンポジット形式映像信号に変換して３次元ＹＣ分離処理を施す工程と、
前記３次元ＹＣ分離処理後の出力を高画質映像フォーマットに変換する工程とを具備したことを特徴とする請求項８記載の放送受信方法。
【請求項１２】
前記第６の工程は、
前記デコード処理された第３の映像信号から主画面映像部分を切出す工程と、
切出された主画面映像部分を標準映像フォーマットに変換する工程と、
前記標準映像フォーマットに変換された映像信号をコンポジット形式映像信号に変換して３次元ＹＣ分離処理を施す工程と、
前記３次元ＹＣ分離処理後の出力を高画質映像フォーマットに変換する工程と、
前記高画質映像フォーマットに変換された映像信号にサイドパネルを付加する工程とを具備したことを特徴とする請求項８記載の放送受信方法。
【発明の詳細な説明】
【技術分野】
【０００１】
この発明は、映像フォーマットの異なる複数種類の映像信号が混在されたデジタル放送を受信する放送受信装置及び放送受信方法に関する。
【背景技術】
【０００２】
周知のように、ＢＳ（Broadcasting Satellite）デジタル放送及び地上波デジタル放送等では、走査線数が５２５本でアスペクト比が４：３である標準のＳＤＴＶ（Standard Television）映像フォーマットと、走査線数が７２０または１１２５本でアスペクト比が１６：９である高画質のＨＤＴＶ（High Definition Television）映像フォーマットとが混在されている。
【０００３】
この場合、ＨＤＴＶ映像フォーマットでは、その映像ソースは輝度信号と色信号とに分離されたコンポーネント形式映像信号だけである。これに対し、ＳＤＴＶ映像フォーマットでは、その映像ソースが、コンポーネント形式映像信号と、輝度信号と色信号とが合成されたコンポジット形式映像信号との２種類があり得る。
【０００４】
このため、放送局側では、映像ソースがコンポジット形式映像信号の場合、その映像信号にＹＣ分離処理等の映像処理を施してコンポーネント形式映像信号に変換し、所定の映像エンコード処理を施してデジタル放送信号を送信するようにしている。
【０００５】
そして、受信機側では、デジタル放送信号を受信し映像デコード処理を施して、コンポーネント形式映像信号を得て、画面上に映像表示するようにしている。
【０００６】
しかしながら、放送局側におけるＹＣ分離処理の性能が十分でないと、コンポジット形式をコンポーネント形式に変換した映像信号に、クロスカラー妨害・ドット妨害成分が含まれたまま、映像エンコード処理してデジタル放送信号が送信される。受信機側では、デジタル放送信号を受信し映像デコード処理を施して映像表示すると、クロスカラー妨害・ドット妨害が多く見られるという問題が生じている。
【０００７】
特許文献１には、受信した映像信号がＳＤＴＶ映像フォーマットである場合、そのコンポーネント形式映像信号をコンポジット形式映像信号に変換して３次元ＹＣ分離処理を施すことにより、輝度信号と色信号とを性能良く分離して画質の改善を図るようにした受信機の構成が開示されている。
【０００８】
ところで、現状では、ＳＤＴＶ映像フォーマットのコンポジット形式映像信号に対し、ＨＤＴＶ映像フォーマットに垂直サイズを合わせるようにアップコンバート処理を施すとともに、その両サイドに黒映像等のサイドパネル画像を付加することにより、アスペクト比が１６：９のＨＤＴＶ映像フォーマットに変換して送信することが行なわれている。
【０００９】
このようにＳＤＴＶ映像フォーマットの映像信号をＨＤＴＶ映像フォーマットに変換した、いわゆる擬似的なＨＤＴＶ映像信号を受信した場合、特許文献１に示される受信機では、ＨＤＴＶ映像フォーマットであると判断してしまうため、その映像信号に対してコンポジット形式に変換して３次元ＹＣ分離を行なうという一連の処理が施されず、クロスカラー妨害・ドット妨害を除去することができないことになる。
【特許文献１】特開２００３−７００１８号公報
【発明の開示】
【発明が解決しようとする課題】
【００１０】
そこで、この発明は上記事情を考慮してなされたもので、標準映像フォーマットを高画質映像フォーマットに変換した擬似的な映像信号に対しても、クロスカラー妨害・ドット妨害を除去して高画質な映像表示を可能とした放送受信装置及び放送受信方法を提供することを目的とする。
【課題を解決するための手段】
【００１１】
この発明に係る放送受信装置は、標準映像フォーマットの第１の映像信号、高画質映像フォーマットの第２の映像信号、標準映像フォーマットのコンポジット形式映像信号を高画質映像フォーマットに変換しサイドパネルを付加してなる第３の映像信号とが混在されたデジタル放送を受信する受信手段と、受信手段で受信したデジタル放送信号から所定のチャンネルの信号を抽出してデコード処理を施す信号処理手段と、信号処理手段から出力される映像信号が第１乃至第３の映像信号のいずれであるかを判別する判別手段と、判別手段により信号処理手段から出力された映像信号が第２の映像信号であると判別された場合に選択されるもので、信号処理手段から出力された第２の映像信号を映像表示装置に導く第１の処理手段と、判別手段により信号処理手段から出力された映像信号が第１の映像信号であると判別された場合に選択されるもので、信号処理手段から出力された第１の映像信号をコンポジット形式映像信号に変換して３次元映像処理を施してから映像表示装置に導く第２の処理手段と、判別手段により信号処理手段から出力された映像信号が第３の映像信号であると判別された場合に選択されるもので、信号処理手段から出力された第３の映像信号を標準映像フォーマットのコンポジット形式映像信号に変換して３次元映像処理を施してから映像表示装置に導く第３の処理手段とを備えるようにしたものである。
【００１２】
また、この発明に係る放送受信方法は、標準映像フォーマットの第１の映像信号、高画質映像フォーマットの第２の映像信号、標準映像フォーマットのコンポジット形式映像信号を高画質映像フォーマットに変換しサイドパネルを付加してなる第３の映像信号とが混在されたデジタル放送を受信する第１の工程と、受信したデジタル放送信号から所定のチャンネルの信号を抽出してデコード処理を施す第２の工程と、デコード処理された映像信号が第１乃至第３の映像信号のいずれであるかを判別する第３の工程と、デコード処理された映像信号が第２の映像信号であると判別された場合、その第２の映像信号を映像表示装置に導く第４の工程と、デコード処理された映像信号が第１の映像信号であると判別された場合、その第１の映像信号をコンポジット形式映像信号に変換して３次元映像処理を施してから映像表示装置に導く第５の工程と、デコード処理された映像信号が第３の映像信号であると判別された場合、その第３の映像信号を標準映像フォーマットのコンポジット形式映像信号に変換して３次元映像処理を施してから映像表示装置に導く第６の工程とを備えるようにしたものである。
【発明の効果】
【００１３】
上記した発明によれば、標準映像フォーマットのコンポジット形式映像信号を高画質映像フォーマットに変換しサイドパネルを付加してなる第３の映像信号を受信した場合、その受信した第３の映像信号を標準映像フォーマットのコンポジット形式映像信号に変換して３次元映像処理を施すことにより、性能良くクロスカラー妨害・ドット妨害を低減して画質改善を行なった後、映像表示に供させるようにしたので、第３の映像信号に対してもクロスカラー妨害・ドット妨害を除去した高画質な映像表示を行なうことが可能となる。
【発明を実施するための最良の形態】
【００１４】
以下、この発明の第１の実施の形態について図面を参照して詳細に説明する。図１において、符号１１は放送受信装置である。この放送受信装置１１は、ＨＤＴＶ映像フォーマットの映像信号と、ＳＤＴＶ映像フォーマットの映像信号と、ＳＤＴＶ映像フォーマットの映像信号にアップコンバート処理を施し、サイドパネル画像を付加した映像信号（以下、ここでは擬似ＨＤＴＶ映像信号と呼ぶ）とが混在されたデジタル放送信号が受信される。なお、放送局からは、デジタル放送信号とともに、映像フォーマットを示す情報とサイドパネル画像の有無を示す情報も送信されているものとする。
【００１５】
図２は、擬似ＨＤＴＶ映像信号の一例を示している。すなわち、放送局側では、アスペクト比が４：３であるＳＤＴＶ映像フォーマットのコンポジット形式映像信号に対し、ＹＣ分離処理を施してコンポーネント形式映像信号に変換してから、ＨＤＴＶ映像フォーマットに垂直サイズを合わせるようにアップコンバート処理を施すとともに、その両サイドに黒映像等のサイドパネル画像を付加する。これにより、アスペクト比が１６：９の擬似ＨＤＴＶ映像信号が生成されて送信される。
【００１６】
図１に戻り、デジタル放送信号は、アンテナ１２で受信され、入力端子１３を介してチューナ部１４に供給される。このチューナ部１４は、入力されたデジタル放送信号の中から所定のチャンネルのＴＳ（Transport Stream）信号を抽出する。このＴＳ信号には、映像信号及び音声信号の他に、映像フォーマットを示す情報とサイドパネル画像の有無を示す情報とが多重されている。
【００１７】
このチューナ部１４で抽出されたＴＳ信号は、ＭＰＥＧ（Moving Picture Experts Group）デコーダ１５に供給される。このＭＰＥＧデコーダ１５は、入力されたＴＳ信号にＭＰＥＧ復号化処理を施し、処理後の映像信号をセレクタ１６，１７及びダウンコンバータ１８に出力している。
【００１８】
また、ＭＰＥＧデコーダ１５は、入力されたＴＳ信号から映像フォーマットを示す情報及びサイドパネル画像の有無を示す情報を復号化し、制御部１９に出力している。この制御部１９は、ＣＰＵ（Central Processing Unit）等を内蔵しており、操作部２０または図示しないリモートコントローラからの操作情報を受け、その操作内容が反映されるように放送受信装置１１の各部の動作を統括的に制御している。
【００１９】
この場合、制御部１９は、メモリ部２１を利用している。すなわち、このメモリ部２１は、主として、制御部１９のＣＰＵが実行する制御プログラムを格納した読み出し専用メモリと、該ＣＰＵに作業エリアを提供する読み出し書き込みメモリと、各種の設定情報及び制御情報等が格納される不揮発性メモリとを含んでいる。
【００２０】
ここで、制御部１９は、映像フォーマットを示す情報がＨＤＴＶ映像フォーマットを示し、サイドパネル画像の有無を示す情報がサイドパネル画像無しを示している場合、ＨＤＴＶ映像信号であると判断し、ＭＰＥＧデコーダ１５の出力を選択するようにセレクタ１６を制御する。これにより、ＨＤＴＶ映像フォーマットの映像信号が出力端子２２を介して表示装置２３に供給され、ＨＤＴＶ映像フォーマットでの映像表示に供されることになる。
【００２１】
また、制御部１９は、映像フォーマットを示す情報がＳＤＴＶ映像フォーマットを示している場合、ＳＤＴＶ映像信号であると判断し、ＭＰＥＧデコーダ１５の出力を選択するようにセレクタ１７を制御する。これにより、ＳＤＴＶ映像フォーマットの映像信号が映像処理部２４に供給される。この映像処理部２４は、ＳＤＴＶ映像フォーマットの映像信号に対して、フレーム間／フィールド間の映像処理を施すことにより、ＳＤＴＶ映像信号に含まれるクロスカラー妨害・ドット妨害を低減するように作用している。
【００２２】
図３は、この映像処理部２４の詳細を示している。すなわち、上記セレクタ１７で選択されたＳＤＴＶ映像信号は、映像エンコーダ２４ａに供給される。この映像エンコーダ２４ａは、コンポーネント形式のＳＤＴＶ映像信号を、ＮＴＳＣ（National Television System Committee）方式の輝度信号及び色信号を複合したコンポジット形式映像信号に変換し、３次元ＹＣ分離部２４ｂに出力している。
【００２３】
この３次元ＹＣ分離部２４ｂは、入力された映像信号に対して、放送局側よりも高性能なＹＣ分離処理を施すことにより、クロスカラー妨害・ドット妨害を低減して画質改善を行なっている。そして、この３次元ＹＣ分離部２４ｂから出力されたコンポーネント形式のＳＤＴＶ映像信号が、色復調処理部２４ｃにより色復調処理が施されて出力される。
【００２４】
ここで、制御部１９は、映像フォーマットを示す情報がＳＤＴＶ映像フォーマットを示している場合、映像処理部２４の出力を選択するようにセレクタ１６を制御する。これにより、クロスカラー妨害・ドット妨害の低減されたＳＤＴＶ映像フォーマットの映像信号が、出力端子２２を介して表示装置２３に供給され、ＳＤＴＶ映像フォーマットでの映像表示に供されることになる。
【００２５】
次に、図２に示した擬似ＨＤＴＶ映像信号が受信された場合、つまり、映像フォーマットを示す情報がＨＤＴＶ映像フォーマットを示し、サイドパネル画像の有無を示す情報がサイドパネル画像有りを示している場合について説明する。
【００２６】
この場合、上記ＭＰＥＧデコーダ１５から出力されたサイドパネル画像付きのＨＤＴＶ映像信号が、ダウンコンバータ１８に供給される。ここでは、サイドパネル画像付きのＨＤＴＶ映像信号として、図４（ａ）に示すように、１９２０画素×１０８０ｉ（interlace）ライン／フレームのアスペクト比が１６：９であり、主画面部が、１４４０画素×１０８０ｉライン／フレームのアスペクト比が４：３とする。
【００２７】
上記ダウンコンバータ１８は、図４（ａ）に示すＨＤＴＶ映像フォーマットの映像信号を、図４（ｂ）に示すように、７２０画素×４８０ｉライン／フレームのアスペクト比が１６：９であるＳＤＴＶ映像信号に変換する。
【００２８】
ここで、上記制御部１９は、映像フォーマットを示す情報がＨＤＴＶ映像フォーマットを示し、サイドパネル画像の有無を示す情報がサイドパネル画像有りを示している場合、ダウンコンバータ１８の出力を選択するようにセレクタ１７を制御する。このため、ダウンコンバータ１８から出力されたＳＤＴＶ映像信号が映像処理部２４に供給される。
【００２９】
この映像処理部２４は、先に述べたように、ＳＤＴＶ映像フォーマットの映像信号に対して、フレーム間／フィールド間の映像処理を施すことにより、ＳＤＴＶ映像信号に含まれるクロスカラー妨害・ドット妨害を低減するように作用している。
【００３０】
そして、映像処理部２４によりクロスカラー妨害・ドット妨害の低減されたＳＤＴＶ映像信号が、アップコンバータ２５に供給される。このアップコンバータ２５は、図４（ｂ）のサイドパネル付きのＳＤＴＶ映像信号を、ＨＤＴＶ映像フォーマットのサイズに変換して出力する。
【００３１】
また、上記制御部１９は、映像フォーマットを示す情報がＨＤＴＶ映像フォーマットを示し、サイドパネル画像の有無を示す情報がサイドパネル画像有りを示している場合、アップコンバータ２５の出力を選択するようにセレクタ１６を制御する。このため、アップコンバータ２５から出力されるＨＤＴＶ映像フォーマットの映像信号が、出力端子２２を介して表示装置２３に供給され、ＨＤＴＶ映像フォーマットでの映像が表示される。
【００３２】
図５は、上記した第１の実施の形態の動作をまとめたフローチャートを示している。すなわち、処理が開始（ステップＳ１）され、ステップＳ２で、チューナ部１４により所定のチャンネルのＴＳ信号が選局されると、制御部１９は、ステップＳ３で、受信している映像信号がＨＤＴＶ映像フォーマットであるか否かを判別する。
【００３３】
そして、ＨＤＴＶ映像フォーマットでないと判断された場合（ＮＯ）、制御部１９は、受信している映像信号がＳＤＴＶ映像フォーマットであると判断し、ステップＳ４で、ＭＰＥＧデコーダ１５の出力を、セレクタ１７、映像処理部２４及びセレクタ１６を介して表示装置２４に供給するように制御し、処理を終了（ステップＳ５）する。
【００３４】
また、ステップＳ３でＨＤＴＶ映像フォーマットであると判断された場合（ＹＥＳ）、制御部１９は、ステップＳ６で、サイドパネル画像付きか否かを判別する。そして、サイドパネル画像付きでないと判断された場合（ＮＯ）、制御部１９は、受信している映像信号がＨＤＴＶ映像フォーマットであると判断し、ステップＳ７で、ＭＰＥＧデコーダ１５の出力をセレクタ１６を介して表示装置２４に供給するように制御し、処理を終了（ステップＳ５）する。
【００３５】
さらに、ステップＳ６でサイドパネル画像付きであると判断された場合（ＹＥＳ）、制御部１９は、受信している映像信号が擬似ＨＤＴＶ映像信号であると判断し、ステップＳ８で、ＭＰＥＧデコーダ１５の出力を、ダウンコンバータ１８、映像処理部２４及びアップコンバータ２５を介して表示装置２４に供給するように制御し、処理を終了（ステップＳ５）する。
【００３６】
上記した第１の実施の形態によれば、ＳＤＴＶ映像フォーマットのコンポジット形式映像信号をアップコンバートしてサイドパネル画像を付加した擬似ＨＤＴＶ映像信号を受信した場合、その受信した映像信号をダウンコンバータ１８でＳＤＴＶ映像フォーマットに変換し、映像処理部２４で３次元ＹＣ分離処理を施して性能良くクロスカラー妨害・ドット妨害を低減して画質改善を行なった後、ＨＤＴＶ映像フォーマットに変換して映像表示させるようにしたので、擬似ＨＤＴＶ映像信号に対しても、クロスカラー妨害・ドット妨害を除去した高画質な映像表示を行なうことが可能となる。
【００３７】
なお、上記した第１の実施の形態では、ＨＤＴＶサイズで送信された映像は、表示装置２３によりＨＤＴＶサイズで映像表示し、ＳＤＴＶサイズで送信された映像は、表示装置２３によりＳＤＴＶサイズで映像表示するようにしている。このため、擬似ＨＤＴＶ映像信号が送信されたときは、ＨＤＴＶサイズで映像表示するために、アップコンバータ２５を用いてＳＤＴＶサイズからＨＤＴＶサイズに変換している。しかしながら、ＳＤＴＶサイズのまま映像表示する場合には、アップコンバータ２５による処理は不要となる。
【００３８】
また、表示装置２３が常にＨＤＴＶサイズで映像表示を行なう場合には、映像処理部２４の出力を常にアップコンバータ２５でＨＤＴＶサイズに変換するようにし、ＳＤＴＶ映像信号及びサイドパネル画像付きＨＤＴＶ映像信号の場合は、アップコンバータ２５の出力を選択するようにセレクタ１６を制御しても良い。
【００３９】
なお、上記映像処理部２４としては、図６に示すように、３次元ＮＲ（Noise Reduction）処理部２４ｄを用いてクロスカラー妨害・ドット妨害の低減を図ることも可能である。
【００４０】
図７は、この発明の第２の実施の形態を示している。すなわち、図１に示した第１の実施の形態では、放送局から映像フォーマットを示す情報とサイドパネル画像の有無を示す情報とが送信され、２つの情報を組み合わせて、サイドパネル画像付きのＨＤＴＶ映像信号か否かを判別するようにしている。
【００４１】
図７に示す第２の実施の形態では、放送局からサイドパネル画像の有無を示す情報が送信されず、映像フォーマットを示す情報のみが送信される場合を示している。図７において、図１と同一部分には同一符号を付して説明すると、上記ＭＰＥＧデコーダ１５から出力された映像信号は、サイドパネル判別部２６に供給される。
【００４２】
このサイドパネル判別部２６は、ＭＰＥＧデコーダ１５から出力された映像信号にサイドパネル画像が付加されているか否かの判別を行ない、その判別結果を制御部１９に出力している。映像信号にサイドパネル画像が付加されているか否かの判別は、フィールド毎に絵柄からサイドパネル画像の有無を判別し、さらに、サイドパネル画像の有状態がある程度の期間連続しているかどうか時間方向の判別を行なうことで実現される。
【００４３】
上記制御部１９は、第１の実施の形態において放送局から送信されてくるサイドパネル画像の有無を示す情報に代えて、サイドパネル判別部２６の判別結果を、映像フォーマットを示す情報と組み合わせることにより、セレクタ１６，１７を制御する。つまり、映像フォーマットを示す情報がＨＤＴＶ映像フォーマットを示し、サイドパネル判別部２６の判別結果がサイドパネル画像有りを示している場合、制御部１９は、擬似ＨＤＴＶ映像信号であると判断して、ＭＰＥＧデコーダ１５の出力を、ダウンコンバータ１８、映像処理部２４及びアップコンバータ２５を介して表示装置２４に供給するように制御する。
【００４４】
図８は、上記した第２の実施の形態の動作をまとめたフローチャートを示している。すなわち、処理が開始（ステップＳ１１）され、ステップＳ１２で、チューナ部１４により所定のチャンネルのＴＳ信号が選局されると、制御部１９は、ステップＳ１３で、受信している映像信号がＨＤＴＶ映像フォーマットであるか否かを判別する。
【００４５】
そして、ＨＤＴＶ映像フォーマットでないと判断された場合（ＮＯ）、制御部１９は、受信している映像信号がＳＤＴＶ映像フォーマットであると判断し、ステップＳ１４で、ＭＰＥＧデコーダ１５の出力を、セレクタ１７、映像処理部２４及びセレクタ１６を介して表示装置２４に供給するように制御し、処理を終了（ステップＳ１５）する。
【００４６】
また、ステップＳ１３でＨＤＴＶ映像フォーマットであると判断された場合（ＹＥＳ）、制御部１９は、ステップＳ１６で、サイドパネル判別部２６の判別結果を入力し、ステップＳ１７で、サイドパネル画像付きか否かを判別する。
【００４７】
そして、サイドパネル画像付きでないと判断された場合（ＮＯ）、制御部１９は、受信している映像信号がＨＤＴＶ映像フォーマットであると判断し、ステップＳ１８で、ＭＰＥＧデコーダ１５の出力をセレクタ１６を介して表示装置２４に供給するように制御し、処理を終了（ステップＳ１５）する。
【００４８】
さらに、ステップＳ１７でサイドパネル画像付きであると判断された場合（ＹＥＳ）、制御部１９は、受信している映像信号が擬似ＨＤＴＶ映像信号であると判断し、ステップＳ１９で、ＭＰＥＧデコーダ１５の出力を、ダウンコンバータ１８、映像処理部２４及びアップコンバータ２５を介して表示装置２４に供給するように制御し、処理を終了（ステップＳ１５）する。
【００４９】
上記した第２の実施の形態によれば、放送局側からサイドパネル画像の有無を示す情報が送信されていなくても、前述した第１の実施の形態と同様な動作を実現し、同様な効果を得ることが可能となる。
【００５０】
図９は、この発明の第３の実施の形態を示している。すなわち、図１に示した第１の実施の形態では、ＭＰＥＧデコーダ１５から出力されたサイドパネル付きの映像信号を、ダウンコンバータ１８により、図４（ｂ）に示すように、アスペクト比が１６：９のＳＤＴＶ映像フォーマットに変換している。
【００５１】
この場合、図２に示した放送局側におけるＳＤＴＶ映像フォーマットのコンポジット形式映像信号の映像部分が、７２０画素×４８０ｉライン／フレームで、アスペクト比が４：３であるとすると、ダウンコンバータ１８から出力される映像信号の映像部分は、５４０画素×４８０ｉライン／フレームのサイズとなり、画素情報が少なくなって解像度が劣化する。
【００５２】
また、図２に示したアスペクト比が４：３のコンポジット形式映像信号に対して、アスペクト比が１６：９のＳＤＴＶ映像フォーマットのスクイーズ信号となるため、ダウンコンバータ１８のから出力される映像信号に含まれるクロスカラー妨害・ドット妨害の周波数がシフトされる。
【００５３】
図１０は、輝度信号の周波数スペクトルを示している。ＮＴＳＣ方式では色副搬送波周波数が約３．５８ＭＨｚで、色信号周波数帯域が０〜１ＭＨｚだとすると、変調した色信号周波数は２．５８〜４．５８ＭＨｚの範囲にあり、放送局側におけるＹＣ分離が不完全であると、この色信号成分が輝度信号に残りドット妨害となる。
【００５４】
このように、ダウンコンバータ１８から出力される映像信号に残ったドット妨害は、コンポジット形式映像信号を４／３倍に水平圧縮したのと同様の映像部となる。このため、色副搬送波周波数は３．５８×（４／３）＝４．７７ＭＨｚの成分となり、ダウンコンバータ１８の出力のドット妨害成分は３．４４〜６．１０ＭＨｚと周波数シフトされることになる。
【００５５】
これにより、上記映像処理部２４が水平周波数全帯域で３次元映像処理を行なう場合は問題ないが、色副搬送波周波数近傍に帯域制限して３次元映像処理を行なう場合は、ダウンコンバータ１８の出力のドット妨害成分が色副搬送波からはずれているので、ドット妨害を低減できない場合が生じる。クロスカラー妨害についても同様のことが言える。
【００５６】
そこで、図９に示す第３の実施の形態では、図１と同一部分に同一符号を付して説明すると、ダウンコンバータ１８の前段に映像切出し部２７を介在させ、ＭＰＥＧデコーダ１５から出力される映像信号から主画面映像部分の切出しを行なわせる。ここでは、図１１（ａ）に示すように、サイドパネル画像付きＨＤＴＶ映像信号の映像期間開始位置の２４０画素後から、１４４０画素分の映像を切出している。
【００５７】
このようにサイドパネル画像付きＨＤＴＶ映像信号から主画面映像部分を切出し、ダウンコンバータ１８に供給することにより、図１１（ｂ）に示すように、アスペクト比が４：３のＳＤＴＶ映像信号が得られる。
【００５８】
図１１（ｂ）に示すダウンコンバータ１８の出力は、図２に示したコンポジット形式映像信号と同じ映像サイズとなり、映像周波数帯域も同じになるので、映像処理部２４が色副搬送波周波数近傍で帯域制限して３次元映像処理を行なう場合でも、クロスカラー妨害・ドット妨害を低減することができる。
【００５９】
その後、映像処理部２４の出力をアップコンバータ２５により、図１１（ｃ）に示すように、１４４０画素×１０８０ｉライン／フレームのアスペクト比が４：３である映像信号に変換し、サイドパネル付加部２８に供給する。
【００６０】
このサイドパネル付加部２８は、アップコンバータ２５から出力される映像の両端に、２４０画素×１０８０ｉライン／フレームのサイドパネル画像をそれぞれ付加することによって、１９２０画素×１０８０ｉライン／フレームのアスペクト比が１６：９であるＨＤＴＶ映像信号を生成し、セレクタ１６に出力する。
【００６１】
この場合、サイドパネル付加部２８は、映像切出し部２７が主画面映像部分の切出しを行なった際に、分離したサイドパネル画像の情報をメモリ等に記憶しておき、その記憶情報をサイドパネル付加部２８に供給することによって、付加すべきサイドパネル画像を得ている。この場合、サイドパネル画像に文字情報等が多重されていれば、その文字情報の表示タイミングに対応させて、映像切出し部２７からサイドパネル付加部２８に記憶情報を出力すれば良い。
【００６２】
なお、サイドパネル付加部２８としては、任意の固定値のサイドパネル画像を付加するようにしたり、任意のグラフィックス画像を用意してそれをサイドパネル画像として付加するように構成することも可能である。
【００６３】
図１２は、上記した第３の実施の形態の動作をまとめたフローチャートを示している。すなわち、処理が開始（ステップＳ２１）され、ステップＳ２２で、チューナ部１４により所定のチャンネルのＴＳ信号が選局されると、制御部１９は、ステップＳ２３で、受信している映像信号がＨＤＴＶ映像フォーマットであるか否かを判別する。
【００６４】
そして、ＨＤＴＶ映像フォーマットでないと判断された場合（ＮＯ）、制御部１９は、受信している映像信号がＳＤＴＶ映像フォーマットであると判断し、ステップＳ２４で、ＭＰＥＧデコーダ１５の出力を、セレクタ１７、映像処理部２４及びセレクタ１６を介して表示装置２４に供給するように制御し、処理を終了（ステップＳ２５）する。
【００６５】
また、ステップＳ２３でＨＤＴＶ映像フォーマットであると判断された場合（ＹＥＳ）、制御部１９は、ステップＳ２６で、サイドパネル画像付きか否かを判別する。そして、サイドパネル画像付きでないと判断された場合（ＮＯ）、制御部１９は、受信している映像信号がＨＤＴＶ映像フォーマットであると判断し、ステップＳ２７で、ＭＰＥＧデコーダ１５の出力をセレクタ１６を介して表示装置２４に供給するように制御し、処理を終了（ステップＳ２５）する。
【００６６】
さらに、ステップＳ２６でサイドパネル画像付きであると判断された場合（ＹＥＳ）、制御部１９は、受信している映像信号が擬似ＨＤＴＶ映像信号であると判断し、ステップＳ２８で、ＭＰＥＧデコーダ１５の出力から主画面映像部分を切出し、ステップＳ２９で、その切出した映像部分を、ダウンコンバータ１８、映像処理部２４及びアップコンバータ２５に順次供給するように制御する。
【００６７】
その後、制御部１９は、ステップＳ３０で、アップコンバータ２５の出力にサイドパネル画像を付加して表示装置２４に供給するように制御し、処理を終了（ステップＳ２５）する。
【００６８】
上記した第３の実施の形態によれば、サイドパネル画像付きＨＤＴＶ映像信号から主画面映像部分を切出し、その切出した主画面映像部分をダウンコンバータ１８でＳＤＴＶ映像フォーマットに変換するようにしたので、放送局側のコンポジット形式映像信号と同じサイズに戻すことができる。
【００６９】
このため、映像処理部２４が色信号帯域近傍に帯域制限した３次元映像処理を行なう構成であっても、サイドパネル画像付きＨＤＴＶ映像信号のクロスカラー妨害・ドット妨害を低減することが可能となる。
【００７０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７１】
【図１】この発明の第１の実施の形態を示すもので、放送受信装置を説明するために示すブロック構成図。
【図２】同第１の実施の形態におけるサイドパネル画像の付加されたＨＤＴＶ映像信号を説明するために示す図。
【図３】同第１の実施の形態における放送受信装置の映像処理部の詳細を説明するために示すブロック構成図。
【図４】同第１の実施の形態における放送受信装置のダウンコンバータの動作を説明するために示す図。
【図５】同第１の実施の形態における放送受信装置の動作を説明するために示すフローチャート。
【図６】同第１の実施の形態における放送受信装置の映像処理部の変形例を説明するために示すブロック構成図。
【図７】この発明の第２の実施の形態を示すもので、放送受信装置を説明するために示すブロック構成図。
【図８】同第２の実施の形態における放送受信装置の動作を説明するために示すフローチャート。
【図９】この発明の第３の実施の形態を示すもので、放送受信装置を説明するために示すブロック構成図。
【図１０】同第３の実施の形態における輝度信号の周波数スペクトルを説明するために示す図。
【図１１】同第３の実施の形態における放送受信装置のダウンコンバート及びアップコンバート動作を説明するために示す図。
【図１２】同第３の実施の形態における放送受信装置の動作を説明するために示すフローチャート。
【符号の説明】
【００７２】
１１…放送受信装置、１２…アンテナ、１３…入力端子、１４…チューナ部、１５…ＭＰＥＧデコーダ、１６…セレクタ、１７…セレクタ、１８…ダウンコンバータ、１９…制御部、２０…操作部、２１…メモリ部、２２…出力端子、２３…表示装置、２４…映像処理部、２５…アップコンバータ、２６…サイドパネル判別部、２７…映像切出し部、２８…サイドパネル付加部。
【図１】
2005328150.tif 000003
【図２】
2005328150.tif 000004
【図３】
2005328150.tif 000005
【図４】
2005328150.tif 000006
【図５】
2005328150.tif 000007
【図６】
2005328150.tif 000008
【図７】
2005328150.tif 000009
【図８】
2005328150.tif 000010
【図９】
2005328150.tif 000011
【図１０】
2005328150.tif 000012
【図１１】
2005328150.tif 000013
【図１２】
2005328150.tif 000014